(57)【特許請求の範囲】
【請求項１】
内部に栽培空間が形成される屋舎と、
前記栽培空間内に配置されるプランター部と
を備え、
前記プランター部は、
底部に少なくとも１つの通水孔が形成された栽培容器と、
前記栽培容器の内面に敷設される第１の不織布であって、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む塗料を含浸させた第１の不織布と、
前記栽培容器の内面に敷設された前記第１の不織布の内側に充填される珊瑚砂礫であって、その内部に食用植物の種又は苗の少なくとも一部が配置される珊瑚砂礫と
を有する、
食用植物栽培装置。
【請求項２】
前記第１の不織布は生分解性を有する、請求項１に記載の食用植物栽培装置。
【請求項３】
前記プランター部は、前記珊瑚砂礫の上に敷設される第２の不織布であって、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む塗料を含浸させた第２の不織布をさらに有する、請求項１又は２に記載の食用植物栽培装置。
【請求項４】
前記第２の不織布は生分解性を有する、請求項３に記載の食用植物栽培装置。
【請求項５】
水を貯留する貯水槽と、
前記プランター部に向けて水を散布する散水部を有する散水管と、
前記貯水槽から前記水を汲み上げて前記散水管に供給するポンプと、
前記プランター部の前記栽培容器の前記少なくとも１つの通水孔と前記貯水槽とを接続する還水管と
をさらに備える、請求項１から４のいずれか一項に記載の食用植物栽培装置。
【請求項６】
前記散水管を通過する水を活性化する活水化器をさらに備える、請求項５に記載の食用植物栽培装置。
【請求項７】
前記ポンプの作動を制御する制御部をさらに備える、請求項５又は６に記載の食用植物栽培装置。
【請求項８】
底部に少なくとも１つの通水孔が形成された栽培容器の内面に、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む塗料を含浸させた第１の不織布を敷設し、
前記栽培容器の内面に敷設された前記第１の不織布の上に珊瑚砂礫を充填し、
前記珊瑚砂礫の内部に食用植物の種又は苗の少なくとも一部を配置し、
前記珊瑚砂礫に水を供給する、
食用植物の栽培方法。
【請求項９】
前記珊瑚砂礫の上に、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む塗料を含浸させた第２の不織布を敷設する、請求項８に記載の食用植物の栽培方法。
【請求項１０】
貯水槽に水を貯留し、
前記貯水槽からポンプにより前記水を汲み上げて散水管に供給して、前記散水管の散水部から前記珊瑚砂礫に向けて水を散布し、
前記少なくとも１つの通水孔から排出される前記水を還水管によって前記貯水槽に戻す、
請求項８又は９に記載の食用植物の栽培方法。
【請求項１１】
前記散水管を通過する水を活水化器により活性化する、請求項１０に記載の食用植物の栽培方法。
【発明の詳細な説明】
【技術分野】
【０００１】
本発明は、食用植物栽培装置及び食用植物の栽培方法に係り、特に果実や野菜などの食用植物を栽培する食用植物栽培装置に関するものである。
【背景技術】
【０００２】
従来から果実や野菜などの食用植物の栽培方法として土耕栽培や水耕栽培をはじめとして様々な栽培方法が知られている（例えば、特許文献１参照）。このような食用植物の栽培においては、１）植物の栽培速度を増すこと、２）植物をより大きく育てること、３）果実や野菜の味を良くすることが大きな課題となっている。
【先行技術文献】
【特許文献】
【０００３】
【特許文献１】特開２０１１−１７７１３０号公報
【発明の概要】
【発明が解決しようとする課題】
【０００４】
本発明は、このような従来技術の問題点に鑑みてなされたもので、味のよい食用植物を短期間でより大きく育てることができる食用植物栽培装置及び食用植物の栽培方法を提供することを目的とする。
【課題を解決するための手段】
【０００５】
本発明の第１の態様によれば、味のよい食用植物を短期間でより大きく育てることができる食用植物栽培装置が提供される。この食用植物栽培装置は、内部に栽培空間が形成される屋舎と、上記栽培空間内に配置されるプランター部とを備える。上記プランター部は、底部に少なくとも１つの通水孔が形成された栽培容器と、上記栽培容器の内面に敷設される第１の不織布と、上記栽培容器の内面に敷設された上記第１の不織布の内側に充填される珊瑚砂礫とを有する。上記第１の不織布には、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む塗料が含浸されている。上記珊瑚砂礫の内部には食用植物の種又は苗の少なくとも一部が配置される。
【０００６】
このような構成によれば、食用植物の土壌が強アルカリ性の珊瑚砂礫であるため、食用植物の種や根に刺激が与えられ、食用植物が強い個体に育つとともに、その味も良くなる。また、第１の不織布に含浸された塗料から放出される微量のガンマ線の作用によって、珊瑚砂礫中で栽培される食用植物の育成速度が増すので、食用植物を短期間でより大きく育てることができる。さらに、このガンマ線の作用によって、食用植物に含まれるアミノ酸も増すので、食用植物の味も良くなる。
【０００７】
上記第１の不織布は生分解性を有していることが好ましい。この場合には、第１の不織布が時間とともに生分解されてなくなってしまうため、環境に無害な装置とすることができる。
【０００８】
上記プランター部は、上記珊瑚砂礫の上に敷設される第２の不織布をさらに有していてもよく、この第２の不織布には、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む塗料が含浸されていることが好ましい。このような第２の不織布を用いることで、第２の不織布に含浸された塗料から放出される微量のガンマ線の作用によって、珊瑚砂礫中で栽培される食用植物の育成速度がさらに増すので、食用植物をさらに短期間でより大きく育てることができる。さらに、このガンマ線の作用によって、食用植物に含まれるアミノ酸もさらに増すので、食用植物の味もさらに良くなる。
【０００９】
この場合において、上記第２の不織布は生分解性を有していることが好ましい。この場合には、第２の不織布が時間とともに生分解されてなくなってしまうため、環境に無害な装置とすることができる。
【００１０】
上記食用植物栽培装置は、水を貯留する貯水槽と、上記プランター部に向けて水を散布する散水部を有する散水管と、上記貯水槽から上記水を汲み上げて上記散水管に供給するポンプと、上記プランター部の上記栽培容器の上記少なくとも１つの通水孔と上記貯水槽とを接続する還水管とをさらに備えることが好ましい。このような構成によれば、貯水槽の水を散水管の散水部からプランター部に散布し、プランター部の栽培容器の通水孔を通って排出される水を貯水槽に戻すことができる。このように、貯水槽の水を循環させて使用することができるので、水の無駄な使用を減らすことができる。
【００１１】
上記食用植物栽培装置は、上記散水管を通過する水を活性化する活水化器をさらに備えることが好ましい。このような活水化器を設けることにより、活水化器によって活性化された活性化水を散水管の散水部から散布することができる。したがって、活性化水が食用植物の茎や葉、そして不織布及び珊瑚砂礫に付着して食用植物の成長が促進される。
【００１２】
上記食用植物栽培装置は、上記ポンプの作動を制御する制御部をさらに備えることが好ましい。このような制御部によりポンプの作動を適切に制御することにより、全自動で食用植物の栽培を行うことができる。
【００１３】
本発明の第２の態様によれば、味のよい食用植物を短期間でより大きく育てることができる食用植物の栽培方法が提供される。この栽培方法では、底部に少なくとも１つの通水孔が形成された栽培容器の内面に、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む塗料を含浸させた第１の不織布を敷設する。上記栽培容器の内面に敷設された上記第１の不織布の上に珊瑚砂礫を充填する。上記珊瑚砂礫の内部に食用植物の種又は苗の少なくとも一部を配置し、上記珊瑚砂礫に水を供給する。
【００１４】
また、上記珊瑚砂礫の上に、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む塗料を含浸させた第２の不織布を敷設してもよい。
【００１５】
さらに、貯水槽に水を貯留し、上記貯水槽からポンプにより上記水を汲み上げて散水管に供給して、上記散水管の散水部から上記珊瑚砂礫に向けて水を散布してもよい。この場合において、上記少なくとも１つの通水孔から排出される上記水を還水管によって上記貯水槽に戻してもよい。
【００１６】
また、上記散水管を通過する水を活水化器により活性化することが好ましい。
【発明の効果】
【００１７】
本発明によれば、食用植物の土壌が強アルカリ性の珊瑚砂礫であるため、食用植物の種や根に刺激が与えられ、食用植物が強い個体に育つとともに、その味も良くなる。また、第１の不織布に含浸された塗料から放出される微量のガンマ線の作用によって、珊瑚砂礫中で栽培される食用植物の育成速度が増すので、食用植物を短期間でより大きく育てることができる。さらに、このガンマ線の作用によって、食用植物に含まれるアミノ酸も増すので、食用植物の味も良くなる。
【図面の簡単な説明】
【００１８】
【図１】図１は、本発明の一実施形態における食用植物栽培装置の構成を模式的に示す図である。
【図２】図２は、図１に示す食用植物栽培装置におけるプランター部の１つを模式的に示す断面図である。
【発明を実施するための形態】
【００１９】
以下、本発明に係る食用植物栽培装置の実施形態について図１及び図２を参照して詳細に説明する。図１及び図２において、同一又は相当する構成要素には、同一の符号を付して重複した説明を省略する。また、図１及び図２においては、各構成要素の縮尺や寸法が誇張されて示されている場合や一部の構成要素が省略されている場合がある。
【００２０】
図１は、本発明の一実施形態における食用植物栽培装置１の構成を模式的に示す図である。図１に示すように、食用植物栽培装置１は、内部に栽培空間Ｓを形成する屋舎１０と、栽培空間Ｓ内に複数列で配置されるプランター部２０と、栽培用の水Ｗを貯留する貯水槽３０と、貯水槽３０からプランター部２０の上方まで延びる散水管４０と、貯水槽３０から水Ｗを汲み上げて散水管４０に供給するポンプ５０と、ポンプ５０の作動を制御する制御部６０とを備えている。
【００２１】
プランター部２０には、後述するように野菜や果物などの食用植物Ｅの種又は苗の少なくとも一部が配置されており、プランター部２０で食用植物Ｅが栽培される。このような食用植物Ｅの例としては、トマト、ピーマン、ナス、キュウリ、スイカ、メロン、イチゴ、カボチャ、小松菜、ほうれん草、レタス、キャベツ、インゲンマメ、ダイコン、ニンジン、ジャガイモなどが挙げられるが、これらに限られるものではない。
【００２２】
屋舎１０は例えばビニールハウスのような形態であってもよい。本実施形態では、この屋舎１０内の栽培空間Ｓに、プランター部２０、貯水槽３０、散水管４０、ポンプ５０、及び制御部６０が収容されているが、貯水槽３０や制御部６０は屋舎１０の外部にあってもよい。
【００２３】
散水管４０の一端はポンプ５０に接続されている。この散水管４０は、プランター部２０の上方からプランター部２０に向けて水Ａを散布する散水部４１を有している。ポンプ５０から散水部４１に至るまでの間の散水管４０には活水化器７０が設けられており、この活水化器７０により散水管４０を通過する水が活性化される。したがって、本実施形態では、散水管４０の散水部４１からプランター部２０に向けて活性化水Ａが散布される。このような活水化器７０としては、特許第４８５１６２５号や特許第４８８２０２４号に開示されているような活水化器を用いることができる。
【００２４】
図２は、プランター部２０の１つを模式的に示す断面図である。図２に示すように、プランター部２０は、例えば発泡スチロールなどの材料からなる栽培容器２１と、この栽培容器２１の内面に敷設される不織布２２（第１の不織布）と、この不織布２２の内側に充填される珊瑚砂礫２３と、珊瑚砂礫２３の上に敷設される不織布２４（第２の不織布）とを有している。例えば、珊瑚砂礫２３の深さは７ｃｍであり、この珊瑚砂礫２３の内部に食用植物Ｅの種又は苗の少なくとも一部が配置され、珊瑚砂礫２３の中で食用植物Ｅが栽培される。
【００２５】
不織布２２，２４は、いずれも微量のガンマ線を放射する鉱物を含む塗料を不織布に含浸させたものである。このような鉱物の例としては、ウラン（Ｕ）、トリウム（Ｔｈ）、ラジウム（Ｒａ）、ラドン（Ｒｎ）、ポロニウム（Ｐｏ）などが挙げられる。このような不織布２２，２４としては生分解性を有するものを用いることが好ましい。
【００２６】
栽培容器２１の底部には、少なくとも１つの通水孔２５が形成されている。図１に示すように、それぞれのプランター部２０の栽培容器２１の通水孔２５には還水管８０が接続される。この還水管８０は貯水槽３０まで延びている。これにより、不織布２４、珊瑚砂礫２３、不織布２２を透過した水が栽培容器２１の通水孔２５を通って還水管８０に導かれ、還水管８０を通って貯水槽３０に戻される。
【００２７】
このような構成において、貯水槽３０内の水Ｗはポンプ５０によって汲み上げられて散水管４０に供給される。散水管４０に供給された水Ｗは、散水管４０の途中に設けられた活水化器７０によって活性化される。活水化器７０によって活性化された活性化水Ａは、散水管４０の散水部４１からプランター部２０に向けて散布される。このとき、散水管４０の散水部４１から活性化水Ａをシャワー状に散布してもよいが、活性化水Ａを粒子にしてミスト状に栽培空間Ｓに放出するように散水管４０の散水部４１を構成することが好ましい。
【００２８】
散水管４０の散水部４１から散布された活性化水Ａは、プランター部２０の不織布２４に降り注ぎ、不織布２４を透過して、珊瑚砂礫２３に浸透する。これにより、食用植物Ｅの種や根などに活性化水Ａが供給されて食用植物Ｅが成長する。その後、活性化水Ａは、不織布２２を透過して通水孔２５から排出され、還水管８０を通って貯水槽３０に戻される。
【００２９】
本実施形態では、食用植物Ｅの土壌が強アルカリ性の珊瑚砂礫であるため、食用植物Ｅの種や根に刺激が与えられ、食用植物Ｅが強い個体に育つとともに、その味も良くなる（例えば糖度が高くなる）。また、珊瑚砂礫２３が不織布２２及び不織布２４で覆われているが、これらの不織布２２，２４には上述したように微量のガンマ線を放射する鉱物を含む塗料が含浸されている。したがって、不織布２２，２４に含浸された塗料から放出される微量のガンマ線の作用によって、珊瑚砂礫２３中の食用植物Ｅの育成速度が増し、食用植物Ｅを短期間でより大きく育てることができる。さらに、このガンマ線の作用によって、食用植物Ｅに含まれるアミノ酸も増すので、食用植物Ｅの味も良くなる。また、このガンマ線の作用により食用植物Ｅに害虫（例えばダニ）が近づきにくくなるという効果もある。
【００３０】
また、不織布２２，２４として生分解性のものを使用すれば、不織布２２，２４が時間とともに生分解されてなくなってしまうため、環境に無害な装置とすることができる。
【００３１】
さらに、本実施形態においては、活水化器７０によって活性化された活性化水Ａを散水管４０の散水部４１から散布しているため、活性化水Ａが栽培空間Ｓ内の食用植物Ｅの茎や葉、そして不織布２２，２４及び珊瑚砂礫２３に付着して食用植物Ｅの成長が促進される。上述のように、活性化水Ａを粒子にして栽培空間Ｓに放出するように散水管４０の散水部４１を構成すれば、活性化水Ａの粒子を栽培空間Ｓ内に充満させることができるので、食用植物Ｅの成長がより促進される。
【００３２】
また、本実施形態では、貯水槽３０の水Ｗを散水管４０の散水部４１からプランター部２０に散布し、プランター部２０の栽培容器２１の通水孔２５を通って排出される水を貯水槽３０に戻すことができるため、貯水槽３０の水Ｗを循環させて使用することが可能である。したがって、水の無駄な使用を減らすことができる。
【００３３】
さらに、例えばタイマなどを用いて一定時間ごとにポンプ５０を作動させるなどのように、上述した制御部６０によりポンプ５０の作動を制御すれば、全自動で食用植物Ｅの栽培を行うことも可能である。
【００３４】
これまで本発明の好ましい実施形態について説明したが、本発明は上述の実施形態に限定されず、その技術的思想の範囲内において種々異なる形態にて実施されてよいことは言うまでもない。
【符号の説明】
【００３５】
１      食用植物栽培装置
１０      屋舎
２０      プランター部
２１      栽培容器
２２      （第１の）不織布
２３      珊瑚砂礫
２４      （第２の）不織布
２５      通水孔
３０      貯水槽
４０      散水管
４１      散水部
５０      ポンプ
６０      制御部
７０      活水化器
８０      還水管
Ａ      活性化水
Ｅ      食用植物
Ｓ      栽培空間
Ｗ      水
【要約】
【課題】味のよい食用植物を短期間でより大きく育てることができる食用植物栽培装置を提供する。
【解決手段】食用植物栽培装置１は、内部に栽培空間Ｓを形成する屋舎１０と、栽培空間Ｓ内に配置されるプランター部２０とを備える。プランター部２０は、底部に通水孔２５が形成された栽培容器２１と、栽培容器２１の内面に敷設される不織布２２と、栽培容器２１の内面に敷設された不織布２２の内側に充填される珊瑚砂礫２３と、珊瑚砂礫２３の上に敷設される不織布２４とを有する。不織布２２，２４には、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む塗料が含浸されている。珊瑚砂礫２３の内部には食用植物Ｅの種又は苗が配置される。
【選択図】図１【図１】
0006646786.tif 000002
【図２】
0006646786.tif 000003